(57)【要約】【課題】入出金機において動作エラーが発生したとしても、預かり金の金額を適切に入力できるキャッシュレジスタ装置を提供する。【解決手段】動作モードが「自動計数モード」の場合においてＰＯＳターミナルは、原則として連動している入出金機の計数結果を入力して、預かり金の金額を取得する。ただし、入出金機において預かり金の投入動作で動作エラーが発生した場合は、その旨を示す動作エラー信号がＰＯＳターミナルに入力される。この動作エラー信号の入力に応答し、動作モードは「自動計数モード」から「手動入力モード」に変更される（ステップＳ１８）。このため、入出金機３において動作エラーが発生したとしても、預かり金の金額を適切に入力できる（ステップＳ１９）。【選択図】図６
2008210030.tif 000002
【特許請求の範囲】
【請求項１】
投入された金銭の金額を計数するとともに指定された金額の金銭を放出する入出金機と連動可能なキャッシュレジスタ装置であって、
売買取引ごとに、該売買取引に係る演算処理を行う演算手段と、
ユーザ操作を受け付けて、預かり金の金額を入力する操作手段と、
前記入出金機に投入された預かり金の金額の計数結果を、前記入出金機から取得する取得手段と、
前記ユーザ操作により入力された預かり金の金額に基づいて前記演算手段が演算処理を行う手動入力モードと、前記入出金機による預かり金の金額の前記計数結果に基づいて前記演算手段が演算処理を行う自動計数モードとの間で動作モードを切り替えるモード切替手段と、
前記入出金機において預かり金の投入動作の動作エラーが発生したことを示すエラー信号を、前記入出金機から入力する入力手段と、
を備え、
前記動作モードが前記自動計数モードの場合において、前記モード切替手段は、前記エラー信号の入力に応答して前記動作モードを前記手動入力モードに変更することを特徴とするキャッシュレジスタ装置。
【請求項２】
請求項１に記載のキャッシュレジスタ装置において、
前記モード切替手段は、一の売買取引に係る演算処理の過程において、前記動作モードを前記自動計数モードから前記手動入力モードに変更した場合に、当該一の売買取引に係る演算処理が完了すると、前記動作モードを前記手動入力モードから前記自動計数モードに戻すことを特徴とするキャッシュレジスタ装置。
【請求項３】
投入された金銭の金額を計数するとともに指定された金額の金銭を放出する入出金機と連動可能なキャッシュレジスタ装置であって、
売買取引ごとに、該売買取引に係る演算処理を行う演算手段と、
ユーザ操作を受け付けて、預かり金の金額を入力する操作手段と、
前記入出金機に投入された預かり金の金額の計数結果を、前記入出金機から取得する取得手段と、
前記ユーザ操作により入力された預かり金の金額に基づいて前記演算手段が演算処理を行う手動入力モードと、前記入出金機による預かり金の金額の前記計数結果に基づいて前記演算手段が演算処理を行う自動計数モードとの間で動作モードを切り替えるモード切替手段と、
を備え、
前記モード切替手段は、一の売買取引に係る演算処理の過程において、前記動作モードを前記自動計数モードから前記手動入力モードに変更可能であることを特徴とするキャッシュレジスタ装置。
【発明の詳細な説明】
【技術分野】
【０００１】
本発明は、投入された金銭の金額を計数するとともに指定された金額の金銭を放出する入出金機と連動可能なキャッシュレジスタ装置に関する。
【背景技術】
【０００２】
スーパーマーケットやコンビニエンスストアなどの小売店舗の売買取引においては、ＰＯＳターミナルなどとも呼ばれるキャッシュレジスタ装置が使用される。キャッシュレジスタ装置では、売買取引ごとに、当該売買取引に係る演算処理が行われる。具体的には、顧客が購入を希望する全ての商品の合計価格が導出された後、顧客から受け渡された預かり金の金額が取得され、合計価格と預かり金の金額とに基づいて釣銭の金額が導出される。
【０００３】
通常、このような売買取引では、預かり金の計数や釣銭の計数は、キャッシュレジスタ装置を取り扱う店舗スタッフが担うことになる。一方で近年では、店舗スタッフの計数ミスや不正操作等を防止するため、キャッシュレジスタ装置を入出金機と連動させ、預かり金の計数や釣銭の計数を入出金機に行わせることもなされている。この入出金機は、投入された金銭の金額を計数する入金機能と、指定された金額の金銭を放出する出金機能とを有する装置である。
【０００４】
入出金機を利用する場合は、預かり金は入出金機に投入され、入出金機によりその金額が正確に計数される。そして、その正確な計数結果が信号でキャッシュレジスタ装置に受け渡され、売買取引に係る演算処理に利用される。また、キャッシュレジスタ装置において釣銭の金額が導出されると、導出された釣銭の金額が信号で入出金機に受け渡され、その金額の金銭が釣銭として入出金機から放出される。
【０００５】
一般に、入出金機と連動可能なキャッシュレジスタ装置は、店舗スタッフが預かり金の計数を行ってその金額を操作入力する手動入力モードと、入出金機に預かり金の計数を行わせてその計数結果を信号で取得する自動計数モードとを動作モードとして備えており、動作モードをいずれかに切り替え可能となっている（例えば、特許文献１参照。）。
【０００６】
【特許文献１】特開２００５−２２２１９２号公報
【発明の開示】
【発明が解決しようとする課題】
【０００７】
ところで、キャッシュレジスタ装置の動作モードを自動計数モードとした場合に、入出金機において預かり金の投入時にリジェクトなどの動作エラーが生じたときには、キャッシュレジスタ装置に預かり金の金額を入力できず問題となる。
【０００８】
本発明は、上記課題に鑑みてなされたものであり、入出金機において動作エラーが発生したとしても、預かり金の金額を適切に入力できるキャッシュレジスタ装置を提供することを目的とする。
【課題を解決するための手段】
【０００９】
上記課題を解決するため、請求項１の発明は、投入された金銭の金額を計数するとともに指定された金額の金銭を放出する入出金機と連動可能なキャッシュレジスタ装置であって、売買取引ごとに、該売買取引に係る演算処理を行う演算手段と、ユーザ操作を受け付けて、預かり金の金額を入力する操作手段と、前記入出金機に投入された預かり金の金額の計数結果を、前記入出金機から取得する取得手段と、前記ユーザ操作により入力された預かり金の金額に基づいて前記演算手段が演算処理を行う手動入力モードと、前記入出金機による預かり金の金額の前記計数結果に基づいて前記演算手段が演算処理を行う自動計数モードとの間で動作モードを切り替えるモード切替手段と、前記入出金機において預かり金の投入動作の動作エラーが発生したことを示すエラー信号を、前記入出金機から入力する入力手段と、を備え、前記動作モードが前記自動計数モードの場合において、前記モード切替手段は、前記エラー信号の入力に応答して前記動作モードを前記手動入力モードに変更する。
【００１０】
また、請求項２の発明は、請求項１に記載のキャッシュレジスタ装置において、前記モード切替手段は、一の売買取引に係る演算処理の過程において、前記動作モードを前記自動計数モードから前記手動入力モードに変更した場合に、当該一の売買取引に係る演算処理が完了すると、前記動作モードを前記手動入力モードから前記自動計数モードに戻す。
【００１１】
また、請求項３の発明は、投入された金銭の金額を計数するとともに指定された金額の金銭を放出する入出金機と連動可能なキャッシュレジスタ装置であって、売買取引ごとに、該売買取引に係る演算処理を行う演算手段と、ユーザ操作を受け付けて、預かり金の金額を入力する操作手段と、前記入出金機に投入された預かり金の金額の計数結果を、前記入出金機から取得する取得手段と、前記ユーザ操作により入力された預かり金の金額に基づいて前記演算手段が演算処理を行う手動入力モードと、前記入出金機による預かり金の金額の前記計数結果に基づいて前記演算手段が演算処理を行う自動計数モードとの間で動作モードを切り替えるモード切替手段と、を備え、前記モード切替手段は、一の売買取引に係る演算処理の過程において、前記動作モードを前記自動計数モードから前記手動入力モードに変更可能である。
【発明の効果】
【００１２】
請求項１ないし３の発明によれば、入出金機において預かり金の投入動作の動作エラーが発生したことを示すエラー信号の入力に応答して、動作モードが自動計数モードから手動入力モードに変更される。このため、入出金機において動作エラーが発生したとしても、預かり金の金額を適切に入力できる。
【００１３】
また、特に請求項２の発明によれば、売買取引の途中で動作モードを変更した場合であっても、その売買取引が完了すると動作モードが自動計数モードに戻されるため、ユーザが動作モードを切り替える操作などを行う必要がない。
【００１４】
また、特に請求項３の発明によれば、一の売買取引に係る演算処理の過程において、動作モードを自動計数モードから手動入力モードに変更可能である。このため、一の売買取引に係る演算処理の過程において入出金機において動作エラーが発生したとしても、預かり金の金額を適切に入力できる。
【発明を実施するための最良の形態】
【００１５】
以下、図面を参照しつつ、本発明の実施の形態について説明する。
【００１６】
＜１．構成概要＞
図１は、第１の実施の形態に係るキャッシュレジスタ装置であるＰＯＳターミナル２が適用されるＰＯＳシステム（キャッシュレジスタシステム）１００の概要を示す図である。このＰＯＳシステム１００は、スーパーマーケットやコンビニエンスストアなどの店舗において採用されるものであり、ＰＯＳサーバ１と、複数のＰＯＳターミナル２とを主に備えている。ＰＯＳサーバ１と複数のＰＯＳターミナル２とはＬＡＮ４１によって接続され、相互にデータ通信が可能とされている。また、複数のＰＯＳターミナル２のそれぞれには入出金機３がケーブル４２によって接続されている。これにより、各ＰＯＳターミナル２は、自装置に接続された入出金機３とデータ通信が可能となっている。
【００１７】
ＰＯＳサーバ１は、ＰＯＳシステム１００の全体を統括的に管理する装置であり、通常は店舗の販売エリアとは別の管理事務所等に配置される。ＰＯＳサーバ１は、ＣＰＵ、ＲＡＭ、ＲＯＭ、ハードディスク等を備えた一般的なコンピュータで構成される。ＰＯＳサーバ１のハードディスクには、当該店舗で扱われる各商品の商品データが登録された商品マスタなど、ＰＯＳシステム１００の全体で必要となるデータが記憶される。
【００１８】
ＰＯＳターミナル２は、主として商品の売買取引の際に店舗の販売スタッフによって実際に操作される装置であり、店舗の販売エリアに配置される。ＰＯＳターミナル２は、売買取引ごとに精算処理を実行する。精算処理では、売買取引に係る商品の商品登録（商品データの登録）、及び、売買取引に係る各種の演算処理（商品の合計価格や釣銭の導出等）がなされる。
【００１９】
また、入出金機３は、投入された金銭の金額を計数する入金機能と、指定された金額の金銭を放出する出金機能と、金銭を収納する収納機能とを有する装置である。ＰＯＳターミナル２は精算処理において、自装置に接続された入出金機３と連動可能となっている。
【００２０】
ＰＯＳターミナル２が入出金機３と連動する場合は、原則として、精算処理において顧客と販売スタッフとの間で受け渡される全ての金銭は、入出金機３において計数される。また原則として、売買取引に関する全ての金銭（売上金及び釣銭準備金の双方）は、入出金機３に収納される。
【００２１】
ＰＯＳターミナル２が入出金機３と連動する場合に、精算処理において顧客から受け渡された預かり金は、入出金機３に投入される。投入された預かり金の金額は入出金機３により正確に計数され、その計数結果が信号でＰＯＳターミナル２に受け渡されて演算処理に利用される。また、ＰＯＳターミナル２において釣銭の金額が導出されると、導出された釣銭の金額が信号で入出金機３に受け渡され、その金額の金銭が釣銭として入出金機３から放出されるようになっている。
【００２２】
＜２．ＰＯＳターミナル＞
図２は、ＰＯＳターミナル２の外観構成を示す図である。図に示すように、ＰＯＳターミナル２は、各種情報の表示を行う２つのディスプレイ２２，２３と、ユーザの操作や入力を受け付ける複数のボタンからなる操作キー部２４と、商品に付されたバーコードなどを読み取るバーコードリーダ２５と、記録用紙を印刷してレシート等を発行する印刷発行部２６と、金銭を収納可能なドロワ２７とを備えている。操作キー部２４には、小計キーやテンキーなどの各種のボタンが含まれている。
【００２３】
また、２つのディスプレイ２２，２３のうち、一方はユーザたる販売スタッフの側に示すべき情報を表示する販売側ディスプレイ２２であり、他方は顧客の側に示すべき情報を表示する顧客側ディスプレイ２３である。顧客側ディスプレイ２３の画面は、精算処理において顧客が視認しやすいように、その向きが調整可能となっている。
【００２４】
図３は、ＰＯＳターミナル２の内部構成を含めた構成を示すブロック図である。図に示すように、ＰＯＳターミナル２はその内部に、装置全体を制御するとともに、各種の演算処理を行うコンピュータである制御部２１を備えている。制御部２１は、演算処理を行うＣＰＵ２０１と、制御用プログラム等を記憶するＲＯＭ２０２と、演算処理の作業領域となるＲＡＭ２０３と、各種データを記憶する不揮発性メモリであるバッテリーバックアップされたＳＲＡＭ２０４と、時刻を計時する機能を有するタイマ２０５とを備えている。制御部２１の各種機能は、ＣＰＵ２０１がＲＯＭ２０２内の制御用プログラムに従って演算処理を行うことで実現される。
【００２５】
上述した販売側ディスプレイ２２、顧客側ディスプレイ２３、操作キー部２４、バーコードリーダ２５、ドロワ２７及び印刷発行部２６の各部は、バスライン２０を介して制御部２１に接続される。これにより、ＰＯＳターミナル２の各部は制御部２１の制御下で動作するとともに、操作キー部２４及びバーコードリーダ２５で取得された情報は制御部２１に入力される。
【００２６】
また、ＰＯＳターミナル２は、ＬＡＮ４１を介して通信するための通信部２８と、ケーブル４２を介して通信するためのインターフェイス２９とを備えている。これら通信部２８及びインターフェイス２９もバスライン２０を介して制御部２１に接続されている。これにより、制御部２１はＰＯＳサーバ１及び入出金機３との間で、各種信号やデータの送受信を行うことが可能となっている。入出金機３による預かり金の金額の計数結果は、このインターフェイス２９を介して取得される。
【００２７】
ＰＯＳターミナル２は、精算処理において、店舗スタッフの操作により入力された預かり金の金額に基づいて演算処理を行う「手動入力モード」と、入出金機３による預かり金の金額の計数結果に基づいて演算処理を行う「自動計数モード」とを動作モードとして備えている。この動作モードは、操作キー部２４を介したユーザ操作、あるいは、ＣＰＵ２０１の制御に基づいて切り替えられる。ただし、精算処理の過程においては、不正防止のため、ユーザ操作では切り替えることはできず、ＣＰＵ２０１の制御のみにより切り替え可能とされている。
【００２８】
＜３．入出金機＞
図４は、入出金機３の外観構成を示す図である。図に示すように、入出金機３は、前面側上部に硬貨を投入するための硬貨投入部３２を備え、前面側右方に紙幣を投入するための紙幣投入部３４を備えている。また、前面側左方には硬貨を放出するための硬貨放出部３３を備え、紙幣投入部３４の左側には紙幣を放出するための紙幣放出部３５を備えている。
【００２９】
ＰＯＳターミナル２の動作モードが「自動計数モード」の場合に、精算処理において顧客から受け渡された預かり金は、硬貨投入部３２及び紙幣投入部３４を介して入出金機３に収納される。また、釣銭は、硬貨放出部３３及び紙幣放出部３５を介して入出金機３から払い出される。
【００３０】
図５は、入出金機３の内部構成を含めた構成を示すブロック図である。図に示すように、入出金機３はその内部に、硬貨投入部３２を介して投入された硬貨を計数する硬貨計数部３６と、硬貨を収納する硬貨収納部３６１と、紙幣投入部３４を介して投入された紙幣を計数する紙幣計数部３７と、紙幣を収納する紙幣収納部３７１とを備えている。硬貨計数部３６及び紙幣計数部３７は、投入された金銭が真貨であるか否かを判別する機能も有している。
【００３１】
硬貨収納部３６１は、硬貨計数部３６で計数された硬貨を収納するとともに、外部へ放出すべき硬貨を硬貨放出部３３に供給する。同様に、紙幣収納部３７１は、紙幣計数部３７で計数された紙幣を収納するとともに、外部へ放出すべき紙幣を紙幣放出部３５に供給する。
【００３２】
また、入出金機３は、その内部に装置全体を制御するとともに、各種の演算処理を行うコンピュータである制御部３１を備えている。制御部３１は、演算処理を行うＣＰＵ３０１と、制御用プログラム等を記憶するＲＯＭ３０２と、演算処理の作業領域となるＲＡＭ３０３と、各種データを記憶する不揮発性メモリであるバッテリーバックアップされたＳＲＡＭ３０４とを備えている。制御部３１の各種機能は、ＣＰＵ３０１がＲＯＭ３０２内の制御用プログラムに従って演算処理を行うことで実現される。
【００３３】
上述した硬貨投入部３２、硬貨放出部３３、紙幣投入部３４、紙幣放出部３５、硬貨計数部３６及び紙幣計数部３７の各部は、バスライン３０を介して制御部３１に接続される。これにより、入出金機３の各部は制御部３１の制御下で動作するとともに、硬貨計数部３６及び紙幣計数部３７における計数結果は制御部３１に入力される。制御部３１は、硬貨収納部３６１及び紙幣収納部３７１に収納されている金銭の種別とその数を把握している。
【００３４】
また、入出金機３は、ケーブル４２を介して通信するためのインターフェイス３９を備えている。インターフェイス３９もバスライン３０を介して制御部３１に接続されている。これにより、制御部３１はＰＯＳターミナル２との間で、各種信号やデータの送受信を行うことが可能となっている。
【００３５】
このような入出金機３においては、投入すべき預かり金を投入できないという動作エラーが生じることがある。このような動作エラーとしては、「リジェクト」及び「釣銭フル」がある。
【００３６】
「リジェクト」とは、投入すべき預かり金を投入しようとしても、その金銭の状態に応じて放出されてしまう動作エラーである。預かり金を投入した場合において、金銭が真貨であっても、汚れや折り目などにより硬貨計数部３６及び紙幣計数部３７にその金銭が真貨と認識されない場合がある。この場合、真貨と認識されない金銭は、入出金機３に収納されずにそのまま放出される。すなわち、「リジェクト」が発生する。
【００３７】
「釣銭フル」とは、投入すべき預かり金を投入しようとしても、内部に収納できずに放出されてしまう動作エラーである。預かり金を投入した場合において、金銭が真貨と認識された場合あっても、硬貨収納部３６１及び紙幣収納部３７１の収納スペースが物理的に満杯であれば、さらなる金銭の収納はできない。このため、この場合においては、収納できない金銭は入出金機３に収納されずにそのまま放出される。すなわち、「釣銭フル」が発生する。
【００３８】
入出金機３においてこのような動作エラーが発生したときには、制御部３１の制御により動作エラー信号が入出金機３からＰＯＳターミナル２に送信されるようになっている。
【００３９】
＜４．精算処理＞
ＰＯＳターミナル２の動作モードが「自動計数モード」の場合に、精算処理においてＰＯＳターミナル２が動作エラー信号を入出金機３から受信すると、それに応じた処理を行うようになっている。以下、動作モードが「自動計数モード」の場合における、ＰＯＳターミナル２の精算処理について説明する。
【００４０】
図６は、この精算処理の流れを主として示す図である。図６に示す一連の処理は、一の売買取引ごと（一の顧客が購入を希望する商品群ごと）になされる処理である。また、図６において、左側はＰＯＳターミナル２の処理の流れを示し、右側は入出金機３の処理の流れを示している。
【００４１】
まず、顧客が購入を希望する商品に付されたバーコードが、ＰＯＳターミナル２のバーコードリーダ２５によって読み取られる。これにより取得された商品コードに基づいてＰＯＳサーバ１内の商品マスタが参照され、当該商品の「商品名」及び「価格」などの商品データがＰＯＳターミナル２に取得される。取得された商品データはＲＡＭ２０２に記憶され、これにより当該商品の商品登録がなされる。このような商品登録は、顧客が購入を希望する全ての商品について行われる（ステップＳ１１）。
【００４２】
全ての商品について商品登録がなされると、ユーザたる販売スタッフにより操作キー部２４に含まれる小計キーが押下される。小計キーが押下されると（ステップＳ１２にてＹｅｓ）、全ての商品についての「価格」がＣＰＵ２０１により合計され、その結果が合計価格としてＲＡＭ２０２に記憶される（ステップＳ１３）。
【００４３】
導出された合計価格は、２つのディスプレイ２２，２３に表示される。この合計価格の表示に基づいて、預かり金となる決済用の金銭が顧客から店舗スタッフに受け渡される。
【００４４】
動作モードが「自動計数モード」であるため、預かり金は入出金機３の硬貨投入部３２及び紙幣投入部３４に、店舗スタッフにより投入される。預かり金が入出金機３に投入されると、入出金機３の硬貨計数部３６及び紙幣計数部３７により預かり金の金額が計数される。そして、その計数結果（すなわち、預かり金の金額）を示す信号（以下、「計数結果信号」という。）が、入出金機３からＰＯＳターミナル２に送信される（ステップＳ９１）。
【００４５】
しかしながら、この入出金機３の投入動作において「リジェクト」あるいは「釣銭フル」の動作エラーが発生した場合は、動作エラー信号が入出金機３からＰＯＳターミナル２に送信される。
【００４６】
入出金機３から送信された信号は、インターフェイス２９を介してＰＯＳターミナル２に入力される（ステップＳ１４）。そして、入出金機３からの信号が計数結果信号の場合（すなわち、入出金機３の投入動作において動作エラーが発生しなかった場合）は（ステップＳ１５にてＮｏ）、計数結果信号に基づいて預かり金の金額がＣＰＵ２０１により取得され、ＲＡＭ２０２に記憶される（ステップＳ１６）。
【００４７】
一方、入出金機３からの信号が動作エラー信号の場合（すなわち、入出金機３の投入動作において動作エラーが発生した場合）は（ステップＳ１５にてＹｅｓ）、この動作エラー信号の入力に応答して、まず、動作エラーがあった旨が販売側ディスプレイ２２に表示される（ステップＳ１７）。
【００４８】
続いて、動作モードが「自動計数モード」から「手動入力モード」にＣＰＵ２０１により変更される。これにより、店舗スタッフが操作キー部２４を介して預かり金の金額を入力することが可能な状態となる（ステップＳ１８）。
【００４９】
このため、入出金機３に投入できなかった預かり金の金額が、操作キー部２４を介して店舗スタッフにより操作入力される。これにより、預かり金の金額がＰＯＳターミナル２に取得され、ＲＡＭ２０２に記憶される。このとき操作入力される金額は、「リジェクト」あるいは「釣銭フル」の動作エラーに起因して入出金機３に投入できなかったエラー金額であるともいえる（ステップＳ１９）。
【００５０】
このように精算処理の過程において動作エラーが発生したとしても、ＣＰＵ２０１の制御によって、動作モードが「自動計数モード」から「手動入力モード」に変更されるため、店舗スタッフの操作入力によって、預かり金の金額を適切にＰＯＳターミナル２に入力できることになる。
【００５１】
このようにして預かり金の金額が得られると、次に、預かり金の金額から合計価格がＣＰＵ２０１により差し引かれ、その結果が釣銭金額とされる。導出された釣銭金額は、２つのディスプレイ２２，２３に表示される（ステップＳ２０）。次に、釣銭金額を指定してその金銭の放出を指示する釣銭指示信号が、ＰＯＳターミナル２から入出金機３に送信される（ステップＳ２１）。
【００５２】
この釣銭指示信号の受信に応答して入出金機３では、釣銭指示信号が指定する釣銭金額の金銭が、硬貨放出部３３及び紙幣放出部３５から放出される。放出された金銭は、釣銭として店舗スタッフにより顧客に受け渡される（ステップＳ９２）。
【００５３】
次に、印刷発行部２６により、売買取引の内容が記録用紙に印刷され、レシートとして発行される（ステップＳ２２）。これにより、一連の精算処理が完了する。
【００５４】
ただし、以上の精算処理の過程において動作エラーが発生して動作モードが「自動計数モード」から「手動入力モード」に変更されていた場合には（ステップＳ２３にてＹｅｓ）、この精算処理が完了した時点で動作モードが「手動入力モード」から「自動計数モード」にＣＰＵ２０１により戻される（ステップＳ２４）。これにより、店舗スタッフが動作モードを切り替える操作等を行わずとも、次回の精算処理を「自動計数モード」で行うことが可能となる。
【００５５】
以上のように、動作モードが「自動計数モード」の場合において、ＰＯＳターミナル２は、原則として連動している入出金機３の計数結果を入力して、預かり金の金額を取得する。しかしながら、入出金機３において預かり金の投入動作で動作エラーが発生した場合は、その旨を示す動作エラー信号がＰＯＳターミナル２に入力される。この動作エラー信号の入力に応答し、動作モードは「自動計数モード」から「手動入力モード」に変更される。このため、入出金機３において動作エラーが発生したとしても、預かり金の金額を適切にＰＯＳターミナル２に入力することができる。
【００５６】
また、ＰＯＳターミナル２では、一の売買取引に係る精算処理の過程において、動作モードを「自動計数モード」から「手動入力モード」に変更可能であるため、精算処理の過程における入出金機３の動作エラーに適切に対応して、預かり金の金額を適切に入力できることになる。
【００５７】
＜５．他の実施の形態＞
以上、本発明の実施の形態について説明してきたが、この発明は上記実施の形態に限定されるものではなく様々な変形が可能である。以下では、このような他の実施の形態について説明する。
【００５８】
上記実施の形態では、動作エラーが生じたとき、動作モードが「自動計数モード」から「手動入力モード」へ変更され、預かり金の金額の全額が操作入力されると説明した。しかしながら、動作エラーが生じたときに、預かり金のうちの一部の金銭のみが入出金機３に収納され、残りの金銭が入出金機３に収納されずに放出されるといった場面が生じることがある。この場合は、預かり金のうち投入された投入済金額は入出金機３の計数結果として信号で取得され、「自動計数モード」から「手動入力モード」へ変更した後に、預かり金のうち投入できなかった未投入金額のみが操作入力されるようにしてもよい。したがって、「自動計数モード」は、入出金機３による預かり金の金額の計数結果のみに基づいて演算処理を行う動作モードであるともいえる。
【００５９】
また、上記実施の形態では、動作エラー信号が入力されると、ＰＯＳターミナル２のユーザにかかわらず、動作モードを「自動計数モード」から「手動入力モード」へ変更するようにしていた。しかしながら、このように一律に「手動入力モード」への変更を行うと、預かり金の金額として誤った金額をユーザが不正に入力する可能性がある。このような不正を防止するため、動作モードを「自動計数モード」から「手動入力モード」へ変更する直前に、ユーザ認証を行い、正規のユーザと認証された場合（認証結果が肯定的な場合）のみ「手動入力モード」へ変更するようにしてもよい。これにより、認証がなされた正規のユーザのみが預かり金の金額を操作入力できるため、不正を防止することができる。このようなユーザ認証は、ＰＯＳターミナル２の起動時に予め行ってもよい。
【００６０】
ユーザ認証の手法としては、例えば、パスワードの操作入力によるものが採用できる。この場合は、予め制御部２１のＲＡＭ２０３などに認証用のパスワードを記憶させ、操作入力されたパスワードと記憶されたパスワードとが一致した場合に、ＣＰＵ２０１が認証結果を肯定的と判定すればよい。また、ユーザが所持しているＩＣカードなどに所定のパスワードを記憶させる一方で、ＰＯＳターミナル２にＩＣカードの読取装置を設け、ＩＣカードから所定のパスワード取得できるか否かによって、ユーザ認証を行うようにしてもよい。
【００６１】
また、ＰＯＳターミナル２の起動時に、ユーザとなる店舗スタッフの管理権限を特定し、特定された管理権限が所定のレベル以上である場合のみ、動作モードが「自動計数モード」から「手動入力モード」へ変更されるようになっていてもよい。この場合は、店舗スタッフに固有のスタッフコードと、店舗スタッフの管理権限とを対応付けたユーザテーブルを予めＳＲＡＭ２０４などに記憶しておく。そして、ＰＯＳターミナル２の起動時に、ユーザたる店舗スタッフに自分のスタッフコードを入力させ、入力されたスタッフコードとユーザテーブルとに基づいて、その店舗スタッフの管理権限をＣＰＵ２０１が特定すればよい。これによれば、一定レベル以上の管理権限を有する店舗スタッフのみが、預かり金の金額を操作入力できるため、不正を有効に防止することができる。
【００６２】
また、上記のユーザ認証と、店舗スタッフの管理権限の特定との双方の処理を行うようにしてもよい。
【図面の簡単な説明】
【００６３】
【図１】ＰＯＳターミナルが適用されるＰＯＳシステムの概要を示す図である。
【図２】ＰＯＳターミナルの外観構成を示す図である。
【図３】ＰＯＳターミナルの内部構成を含めた構成を示すブロック図である。
【図４】入出金機の外観構成を示す図である。
【図５】入出金機の内部構成を含めた構成を示すブロック図である。
【図６】精算処理の流れを示す図である。
【符号の説明】
【００６４】
１      ＰＯＳサーバ
２      ＰＯＳターミナル
３      入出金機
２１      制御部
２４      操作キー部
２０１    ＣＰＵ
【図１】
2008210030.tif 000003
【図２】
2008210030.tif 000004
【図３】
2008210030.tif 000005
【図４】
2008210030.tif 000006
【図５】
2008210030.tif 000007
【図６】
2008210030.tif 000008